(57)【要約】【課題】  床面の清掃のみならずエアコンやタンスの上面のような高位置の清掃も極めて簡単な操作で姿勢変更して清掃することができるようにした電気掃除機用ノズルの提供。【解決手段】  空気吸引口と清掃用ブラシ３を備えたブラシ本体１と、該ブラシ本体１に接続する筒体２とからなり、ブラシ本体１における筒体２との接続筒１１と筒体２におけるブラシ本体１への連結筒２１とが嵌合可能な径に形成され、これら両筒部１１，２１の何れか一方に、筒端４１から筒奥部４２に向かって切り込まれた２本の切り込み４３，４３と、この切り込み間に残された部分４４に当該筒体の放射方向に突出する突起４５が形成され、何れか他方の筒部に、これら両筒部１１，２１を嵌合させたとき前記突起４５が位置する相当箇所の周方向において互いに対向する２カ所に前記突起４５が出退する窓穴５１が形成され、筒体２が前記連結筒２１を除く部分に屈曲部２３を備えた構造。【選択図】      図１
0003149449.tif 000002
【実用新案登録請求の範囲】
【請求項１】
電気掃除機における吸引筒の先端に取り付けて使用する吸引ノズルであって、
空気吸引口と清掃用ブラシ(3)を備えたブラシ本体(1)と、該ブラシ本体(1)に接続する筒体(2)とからなり、ブラシ本体(1)における筒体(2)との接続筒(11)と筒体(2)におけるブラシ本体(1)への連結筒(21)とが嵌合可能な径に形成され、これら両筒部(11，21)の何れか一方に、筒端(41)から筒奥部(42)に向かって切り込まれた２本の切り込み(43，43)と、この切り込み間に残された部分(44)に当該筒体の放射方向に突出する突起(45)が形成され、何れか他方の筒部に、これら両筒部(11，21)を嵌合させたとき前記突起(45)が位置する相当箇所の周方向において互いに対向する２カ所に前記突起(45)が出退する窓穴(51)が形成され、筒体(2)が前記連結筒(21)を除く他の部分に屈曲部(23)を備えている構造とされた掃除機用ノズル。
【考案の詳細な説明】
【技術分野】
【０００１】
本考案は、空気吸引式の電気掃除機における吸引筒の先端部分に取り付けて使用する吸引ノズルに関するものである。
【背景技術】
【０００２】
従来からこの種の電気掃除機における吸引筒の先端部分に取り付けて使用する吸引ノズルは周知であって、一般家庭にあっても既に種々の形態のものが知られていて、使用されている。しかしながら、その大部分の吸引ノズルは掃除機における吸引筒の先端部に差し込んで固定して使用する方式としたものである。
【先行技術文献】
【特許文献】
【０００３】
【特許文献１】特開２００８−２２９５０
【特許文献２】特開２００８−１１０１８３
【非特許文献】
【０００４】
【非特許文献１】登録実用新案第３１４３０６９号
【考案の概要】
【考案が解決しようとする課題】
【０００５】
これら各種の従来の電気掃除機における吸引ノズルにあっては、前記特許文献１，２や非特許文献１に見られるように、吸引筒の先端に差し込んで使用するノズルは、常に空気吸引面が床面に向くようにして吸引筒に差し込んでいた。このことは、空気吸引面が床面から離れると吸引力が低下し清掃ができなくなるためである。したがって、他の姿勢として使用することは全く考慮されていなかった。
【０００６】
しかしながら、電気掃除機を利用して清掃したい箇所は床面のみに限らない。例えば、エアコンや冷蔵庫の上面、電灯の笠の上面、洋服ダンスや食器棚の上面等も吸引ノズルを用いて吸引清掃したい被清掃面である。これらの高位置の被清掃面は、前記従来の掃除機では、吸引筒に対して吸引ノズルを上下回転させて差し替えても空気吸引面が上向きになるので清掃することはできない。
【０００７】
そこで、本考案は、このような従来の電気掃除機が有していた課題を解決するために、吸引ノズルに工夫を加え、床面の清掃のみならず前記高位置の清掃も極めて簡単な操作で姿勢変更して清掃することができるようにした吸引ノズルをここに提案しようとするものである。
【課題を解決するための手段】
【０００８】
該目的を達成するために講じた本考案にいうところの掃除機用ノズルの構成を説明すると、電気掃除機における吸引筒の先端に取り付けて使用する吸引ノズルであって、空気吸引口と清掃用ブラシ３を備えたブラシ本体１と、該ブラシ本体１に接続する筒体２とからなり、ブラシ本体１における筒体２との接続筒１１と筒体２におけるブラシ本体１への連結筒２１とが嵌合可能な径に形成され、これら両筒部１１，２１の何れか一方に、筒端４１から筒奥部４２に向かって切り込まれた２本の切り込み４３，４３と、この切り込み間に残された部分４４に当該筒体の放射方向に突出する突起４５が形成され、何れか他方の筒部に、これら両筒部１１，２１を嵌合させたとき前記突起４５が位置する相当箇所の周方向において互いに対向する２カ所に前記突起４５が出退する窓穴５１が形成され、筒体２が前記連結筒２１を除く他の部分に屈曲部２３を備えている構造としたものである。
【考案の効果】
【０００９】
本考案にいう掃除機用ノズルは、空気吸引口と清掃用ブラシ３を備えたブラシ本体１の接続筒部と、ブラシ本体に接続する筒体２の連結筒部とを嵌合可能な径に形成してあるものとし、これらの筒部の何れか一方に、２本の切り込みを入れて、その間に残された部分に当該筒体の放射方向に突出する突起を形成し、他方の筒部に、これらの両筒部を嵌合させたとき前記突起が位置する箇所の周方向において互いに対向する２カ所に前記突起が出退する窓穴を形成してあるものとしてあるので、両筒部を嵌合させて何れかの窓穴から突出させた突起の先端部を押し付けてブラシ本体１と筒体２とを相対回転させることにより、他方の窓穴から突起を突出させて回転固定するだけの簡単な操作でブラシ本体１と筒体２との相対姿勢を変えることができ、かつ、筒体２が連結筒を除く他の部分に屈曲部を備えているものとしてあるので、例えば床面清掃姿勢からエアコン上面等の高位置の清掃ができるという優れた利便性を得ることができるという効果がある。
【図面の簡単な説明】
【００１０】
【図１】第１実施例の分解正面図。
【図２】図１の斜視図。
【図３】使用状態の正面図。
【図４】他の使用状態の正面図。
【図５】第２実施例の分解正面図。
【図６】図５の使用状態の正面図。
【図７】第３実施例の筒体の正面図。
【考案を実施するための形態】
【００１１】
上記のような構成とした本考案の電気掃除機用ノズルを実施するに当たっては、ブラシ本体と連結する筒体の連結筒とは反対側の筒径を電気掃除機における吸引筒と差込み連結可能な径としておくことが好ましい。より好ましくは、吸引筒の先端に挿入して固定できる径としておくことにより、塵埃の引っ掛かり部分のない状態で円滑に吸引使用することができる。筒体の連結筒に形成した窓穴は、周方向に対向する２カ所のみに限定することなく、周方向に略９０度角位相した４カ所に形成してあるものとして、ブラシが横向きになるようにして建造物等の横壁面や前記エアコンやタンス等の横面を清掃し易くして実施することも好ましい。また、筒体は正面形状において、くの字形に屈曲させてあるものとして実施すると、掃除機の吸引筒が屈曲部を備えていない直線状のものであっても、本考案の目的を達することができる点で好ましい。
【実施例】
【００１２】
以下本考案の第１実施例について図面に基づいて説明する。本考案にいうところの電気掃除機における吸引筒の先端に取り付けて使用する吸引ノズルは、図１及び図２に示したように、本体筒部１２の下面に空気吸引口（図外）を備え、その周囲に清掃用ブラシ３を植設し、該本体筒部１２の一端側に次記筒体２と接続するための接続筒１１を備えたブラシ本体１と、一端側に該ブラシ本体１の接続筒１１と連結する連結筒２１と他端側に掃除機の吸引筒６と連結する差込筒２２とこれらの両筒２１，２２間に屈曲部２３を備えた筒体２との二つの部材によって構成されている。
【００１３】
前記ブラシ本体１の一端側に形成された接続筒１１と、筒体２の一端側に形成された連結筒２１とは嵌合可能な径に形成され、該実施例にあっては、ブラシ本体１の接続筒１１を小径とし、筒体２の連結筒２１を大径としてあり、ブラシ本体１の接続筒１１を筒体２の連結筒２１に挿入嵌合するようにしてある。
【００１４】
而して、前記ブラシ本体１の接続筒１１には、筒端４１から筒奥部４２に向かって平行に切り込まれた２本の切り込み４３，４３を形成し、この切り込み間に残された部分４４を肉厚方向に揺動可能とし、該部分４４に筒体の放射方向に向かって突出する小さな突起４５を形成し、この接続筒１１を内嵌させる前記筒体２の連結筒２１には、これら両筒部１１，２１を嵌合させたときに該突起４５が位置する箇所の、周方向において互いに対向する２カ所に、該実施例では正面側と背面側との２カ所に前記突起４５が出退する窓穴５１を形成してある構造としたものである。
【００１５】
このような構造とした吸引ノズルは、前記のように、ブラシ本体１の接続筒１１を筒体２の連結筒２１に対して挿入嵌合させて使用する。この使用時の形態は、図３及び図４に示した通りである。図３の状態は、主として床面や敷居等の低位置の清掃に適しており、この状態で窓穴５１から突出している突起４５の頭を押し付けながらブラシ本体１と筒体２とを１８０度相対回転させると、図４のように突起４５が他方の窓穴５１から突出し、以後の相対回転は阻止される。この状態として、エアコンやタンス等の上面のような高位置の清掃に適した状態で清掃することができる。該実施例では、窓穴５１を正面側と背面側とに形成してあるものとして示したが、上下位置に形成して実施してもよい。
【００１６】
図５及び図６は第２実施例の吸引ノズルを示した図である。この第２実施例のノズルは前記第１実施例と対比したとき、小径筒側を筒体２側に形成し、大径筒側をブラシ本体１側に形成したものである。即ち、筒体２の連結筒２１を小径とし、その筒端４１から筒奥部４２に向かって平行に切り込まれた２本の切り込み４３，４３を形成し、この切り込み間に残された部分４４を肉厚方向に揺動可能とし、この部分４４に筒体の放射方向に向かって突出する小さな突起４５を形成してあるものとしたもので、ブラシ本体１側の接続筒１１に、これら両筒部１１，２１の嵌合時に突起４５が位置する箇所の、周方向において互いに対向する正面側と背面側との２カ所に突起４５が出退する窓穴５１を形成した構造としたものである。その連結した状態は図６に見られる通りである。図中の符号２４は、両体１，２の嵌合連結時のストッパーリブである。
【００１７】
図示は省略したが、該実施例の場合、筒体２の連結筒２１の肉厚分だけ、ブラシ本体１側の接続筒１１の奥内面に肉厚部か小径段部を形成しておくことにより、連結筒２１の筒端４１に吸引した塵埃が引っ掛かることを阻止することができる。
【００１８】
図７は、筒体２の第３実施例を示したものであって、突起４５が出退する窓穴５１を連結筒部２１の周方向の略９０度角位相した４カ所に形成し、ブラシ本体１のブラシ３部分が横向きの時でもその姿勢を保持して、壁面や家具類の側面清掃にも利用できるようにしたものである。言うまでもなく、この窓穴５１は、前記第２実施例の構造の場合には、ブラシ本体１の接続筒１１側に形成すればよいものである。
【００１９】
以上本考案の代表的と思われる実施例について説明したが、本考案は必ずしもこれらの実施例として示した構造のもののみに限定されるものではなく、例えば、ブラシ本体１の形態を横幅の広い他の形態として実施することができ、本考案にいう前記の構成要件を充足し、上記の目的を達成し、上記の効果を有する範囲内において適宜に改変して実施することができるものである。
【産業上の利用可能性】
【００２０】
本考案にいう電気掃除機の吸引ノズルは、極めて簡単なワンタッチ的な操作で、床面等の低位置の清掃に適した状態から、エアコンやタンスの上面のような高位置の清掃に適した状態に姿勢変更して清掃することができるので、大いに使用される可能性を大きく秘めたものである。
【符号の説明】
【００２１】
１  ブラシ本体
２  筒体
３  清掃用ブラシ
１１  接続筒
１２  本体筒部
２１  連結筒
２２  差込筒
２３  屈曲部
４１  筒端
４２  筒奥部
４３  切り込み
４４  切り込み間に残された部分
４５  突起
５１  窓穴
６  掃除機の吸引筒
【図１】
0003149449.tif 000003
【図２】
0003149449.tif 000004
【図３】
0003149449.tif 000005
【図４】
0003149449.tif 000006
【図５】
0003149449.tif 000007
【図６】
0003149449.tif 000008
【図７】
0003149449.tif 000009